【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
空調装置に装備され、圧縮機で圧縮されたて冷媒を減圧するとともに膨張させて蒸発器へ供給する膨張弁であって、
前記圧縮機から送られてくる高圧の冷媒が流入する弁室と、該弁室から前記蒸発器へ送られる冷媒が通過する第１の通路と、前記蒸発器から前記圧縮機へ戻る冷媒が通過する第２の通路と、前記弁室と前記第１の通路の間に設けられる弁座と、該弁座と並列に設けられて前記弁室と前記第１の通路を連結する冷媒室と、を有する弁本体と、
前記弁座に接離して前記弁座を開閉する弁体と、
前記弁体の駆動機構であるパワーエレメントと、
前記冷媒室と前記第１の通路の間に設けられ、前記冷媒室内及び前記第１の通路内の冷媒を外気中に放出する状態と放出しない状態とを切り換え可能な電磁リリーフ弁と、
を備える電磁リリーフ弁付膨張弁。
【請求項２】
前記電磁リリーフ弁は、前記冷媒室に連通するリリーフ弁室を有するリリーフ弁本体と、前記冷媒室と前記第１の通路の間に設けられたリリーフ弁シートと、前記リリーフ弁室内に設けられ前記リリーフ弁シートに接離して前記リリーフ弁シートを開閉するとともに前記リリーフ弁室内の冷媒の圧力により前記リリーフ弁シートに当接した状態を維持するリリーフ弁体と、前記弁本体に形成され前記リリーフ弁室に連通するパイロット弁室と、該パイロット弁室と外気に開放される通路の間に設けられたパイロット弁シートと、前記パイロット弁室内に設けられ前記パイロット弁シートに接離して前記パイロット弁シートを開閉するパイロット弁体と、該パイロット弁体に連結され前記パイロット弁体を開閉方向に移動させるプランジャと、該プランジャを駆動する電磁コイルと、を備える請求項１記載の電磁リリーフ弁付膨張弁。
【請求項３】
前記リリーフ弁体は、前記冷媒室の高圧冷媒を前記リリーフ弁室に導入する間隙を前記リリーフ弁室との間に形成する断面形状を有する請求項２記載の電磁リリーフ弁付膨張弁。
【請求項４】
前記リリーフ弁本体から外方に向けて突出するように一端が前記リリーフ弁本体に固定され前記プランジャが移動自在に挿入されたパイプ部材と、該パイプ部材の他端に固定された吸引子と、該吸引子と前記プランジャの間に設けられ前記プランジャを前記パイロット弁シートに向けて付勢するスプリングとを備え、前記電磁コイルは前記パイプ部材の外周部に取り付けられた請求項２記載の電磁リリーフ弁付膨張弁。
【手続補正２】
【補正対象書類名】明細書
【補正対象項目名】０００８
【補正方法】変更
【補正の内容】
【０００８】
本発明の膨張弁は、基本的手段として、圧縮機から送られてくる高圧の冷媒が流入する弁室と、該弁室から前記蒸発器へ送られる冷媒が通過する第１の通路と、前記蒸発器から前記圧縮機へ戻る冷媒が通過する第２の通路と、前記弁室と前記第１の通路の間に設けられる弁座と、該弁座と並列に設けられて前記弁室と前記第１の通路を連結する冷媒室と、を有する弁本体と、
前記弁座に接離して前記弁座を開閉する弁体と、
前記弁体の駆動機構であるパワーエレメントと、
前記冷媒室と前記第１の通路の間に設けられ、前記冷媒室内及び前記第１の通路内の冷媒を外気中に放出する状態と放出しない状態とを切り換え可能な電磁リリーフ弁と、を備える。
【手続補正３】
【補正対象書類名】明細書
【補正対象項目名】０００９
【補正方法】変更
【補正の内容】
【０００９】
そして、前記電磁リリーフ弁は、前記冷媒室に連通するリリーフ弁室を有するリリーフ弁本体と、前記冷媒室と前記第１の通路の間に設けられたリリーフ弁シートと、前記リリーフ弁室内に設けられ前記リリーフ弁シートに接離して前記リリーフ弁シートを開閉するとともに前記リリーフ弁室内の冷媒の圧力により前記リリーフ弁シートに当接した状態を維持するリリーフ弁体と、前記弁本体に形成され前記リリーフ弁室に連通するパイロット弁室と、該パイロット弁室と外気に開放される通路の間に設けられたパイロット弁シートと、前記パイロット弁室内に設けられ前記パイロット弁シートに接離して前記パイロット弁シートを開閉するパイロット弁体と、該パイロット弁体に連結され前記パイロット弁体を開閉方向に移動させるプランジャと、該プランジャを駆動する電磁コイルと、を備える。
【手続補正４】
【補正対象書類名】明細書
【補正対象項目名】００１０
【補正方法】変更
【補正の内容】
【００１０】
また、前記リリーフ弁体は、前記冷媒室の高圧冷媒を前記リリーフ弁室に導入する間隙を前記リリーフ弁室との間に形成する断面形状を有し、前記リリーフ弁本体から外方に向けて突出するように一端が前記リリーフ弁本体に固定され前記プランジャが移動自在に挿入されたパイプ部材と、該パイプ部材の他端に固定された吸引子と、該吸引子と前記プランジャの間に設けられ前記プランジャを前記パイロット弁シートに向けて付勢するスプリングとを備え、前記電磁コイルは前記パイプ部材の外周部に取り付けられる電磁コイルを備えるものである。
【手続補正５】
【補正対象書類名】明細書
【補正対象項目名】００１４
【補正方法】変更
【補正の内容】
【００１４】
弁室１４の開口部にはナット部材３０が螺合されて、封止される。ナット部材３０をねじ込むことで、スプリング３２は予圧され、所定のスプリング力で支持部材３４を介して弁体４０を支持するナット部材３０にシール部材３６を取り付けて弁室１４のシールを図る。
弁室１４の冷媒は、弁体４０と弁座１６の間の開口部を通って第１の通路２０に流出する。第１の通路２０に流入した冷媒は、出口穴を介して図示しない蒸発器へ送り出される。
【手続補正６】
【補正対象書類名】明細書
【補正対象項目名】００１７
【補正方法】変更
【補正の内容】
【００１７】
この膨張弁１は以上のように構成してあるので、蒸発器から戻されて、第２の通路５０を通る冷媒の圧力と温度に応じて設定されるダイアフラム７０の作動位置により、弁棒８０が作動し、弁体４０と弁座１６の間の間隙が調整される。
【手続補正７】
【補正対象書類名】明細書
【補正対象項目名】００１９
【補正方法】変更
【補正の内容】
【００１９】
全体を符号１００で示す電磁リリーフ弁は、膨張弁の弁本体１０の側壁にとりつけられるリリーフ弁本体１５０を有する。このリリーフ弁本体１５０は、膨張弁本体１０の側壁に形成される冷媒室２６の開口部に設けられる内ねじ部に螺合されて固定される。
膨張弁本体１０は、高圧の冷媒が導入される弁室１４と冷媒室２６を連通する冷媒通路２４を有する。冷媒室２６は、リリーフ弁シート２８を介して蒸発器（図示せず）へ向かう第１の通路２０に連通する。
【手続補正８】
【補正対象書類名】明細書
【補正対象項目名】００２１
【補正方法】変更
【補正の内容】
【００２１】
膨張弁本体１０の冷媒室２６に導入された高圧の冷媒は、この間隙を通ってリリーフ弁室１６４に流入する。この高圧の冷媒は、リリーフ弁体１６０を押圧し、弁部材１６２がリリーフ弁シート２８に押圧されて、冷媒室２６と蒸発器へ向かう第１の通路２０の間を閉弁する。
さらに、リリーフ弁室１６４にはコイルバネ１６５が挿入されており、コイルバネ１６５は、冷凍サイクル停止時にリリーフ弁体１６０をリリーフ弁シート２８に挿圧し、閉弁状態とする。
【手続補正９】
【補正対象書類名】図面
【補正対象項目名】図１
【補正方法】変更
【補正の内容】
【図１】
2005140381.tif 000001